(57)【要約】【課題】  敏速に音声の入力を行って通信相手にメッセージを伝えることができる通信端末を提供する。【解決手段】  通信端末１００は、音声データを送信するための予め設定された所定の操作がボタン１０１に対して行われたことを判断するボタン判断部１０５と、所定の操作が行われたことが判断されると、音声を入力して音声データとして録音する音声録音コントローラー１０９と、所定の操作が行われたことが判断されると、通信網を介した送信先との間の接続を確立する発呼制御部１０８と、確立された接続を通して、録音された音声データを送信する音声データ送信部１１０とを備える。【選択図】  図１
2008258844.tif 000002
【特許請求の範囲】
【請求項１】
音声データを送信するための予め設定された所定の操作が自端末に対して行われたことを判断する送信機能起動手段と、
前記送信機能起動手段によって前記所定の操作が行われたことが判断されると、音声を入力して音声データとして録音する録音手段と、
前記送信機能起動手段によって前記所定の操作が行われたことが判断されると、通信網を介した送信先との間の接続を確立する接続確立手段と、
前記接続確立手段によって確立された接続を通して、前記録音手段によって録音された音声データを送信する送信手段と、
を備える通信端末。
【請求項２】
前記録音手段は、前記通信端末に備えられる所定のボタンを押下されている間、前記音声を入力して音声データとして録音することを特徴とする請求項１に記載の通信端末。
【請求項３】
前記送信手段によって送信される前記音声データの送信先を示す情報を入力する送信先指定手段を更に備えることを特徴とする請求項１又は２に記載の通信端末。
【請求項４】
前記送信手段により送信される音声データに、当該音声データが含まれる一連の発言を特定する識別子を付与する識別子付与手段を更に備える請求項１〜３の何れか一項に記載の通信端末。
【請求項５】
自端末に対して送信された音声データを受信する受信手段を更に備える請求項１〜３の何れか一項に記載の通信端末。
【請求項６】
前記送信手段によって送信された音声データ、及び前記受信手段によって受信された音声データを格納する格納手段と、
前記格納手段に格納された音声データを再生する再生手段と、
を更に備える請求項５に記載の通信端末。
【請求項７】
前記再生手段は、前記音声データに付与された、当該音声データが含まれる一連の発言を特定する識別子を参照して、前記格納手段に格納された複数の音声データを示す情報を一連の発言として出力することを特徴とする請求項６に記載の通信端末。
【発明の詳細な説明】
【技術分野】
【０００１】
本発明は、音声データを送信する通信端末に関する。
【背景技術】
【０００２】
従来から音声通信を行う技術として、電話通信やＰＴＴ（Push To Talk）等のものがある。特許文献１には、移動体通信網においてＰＴＴを行うＰｏＣ（Push To Talk over Cellular）が記載されている。
【特許文献１】特開２００６−２８７９４０号公報
【発明の開示】
【発明が解決しようとする課題】
【０００３】
しかしながら、電話通信やＰＴＴにおいては、通信相手の端末に対して呼び出しを行なって、通信相手が呼び出しに応答したり留守番電話サービスに接続されたりして、音声を入力して送信できるまでに数秒〜十数秒程度の時間がかかっていた。即ち、上記の従来の音声通信を行う技術では、敏速に音声の入力を行って通信相手にメッセージを伝えるという点において問題があった。
【０００４】
本発明は、以上の問題点を解決するためになされたものであり、敏速に音声の入力を行って通信相手にメッセージを伝えることができる通信端末を提供することを目的とする。
【課題を解決するための手段】
【０００５】
上記の目的を達成するために、本発明に係る通信端末は、音声データを送信するための予め設定された所定の操作が自端末に対して行われたことを判断する送信機能起動手段と、送信機能起動手段によって所定の操作が行われたことが判断されると、音声を入力して音声データとして録音する録音手段と、送信機能起動手段によって所定の操作が行われたことが判断されると、通信網を介した送信先との間の接続を確立する接続確立手段と、接続確立手段によって確立された接続を通して、録音手段によって録音された音声データを送信する送信手段と、を備えることを特徴とする。
【０００６】
本発明に係る通信端末では、音声データを送信するための予め設定された所定の操作が行われると音声データの入力及び録音と当該音声データを送信するための接続の確立とが行われる。従って、本発明に係る通信端末のユーザは当該操作を行った後すぐに、送信する音声を入力することができる。即ち、本発明に係る通信端末によれば敏速に音声の入力を行って通信相手にメッセージを伝えることができる。
【０００７】
録音手段は、通信端末に備えられる所定のボタンを押下されている間、音声を入力して音声データとして録音することが望ましい。この構成によれば、ユーザに対して、ボタンを押下している間に音声を入力することをさせることができる。
【０００８】
通信端末は、送信手段によって送信される音声データの送信先を示す情報を入力する送信先指定手段を更に備えることが望ましい。この構成によれば、任意の送信先に音声データを送信することができる。
【０００９】
通信端末は、送信手段により送信される音声データに、当該音声データが含まれる一連の発言を特定する識別子を付与する識別子付与手段を更に備えることが望ましい。この構成によれば、より適切な音声データの処理が可能になる。
【００１０】
通信端末は、自端末に対して送信された音声データを受信する受信手段を更に備えることが望ましい。この構成によれば、送信のみでなく、自端末に対して送信された音声データを処理することができる。
【００１１】
通信端末は、送信手段によって送信された音声データ、及び受信手段によって受信された音声データを格納する格納手段と、格納手段に格納された音声データを再生する再生手段と、を更に備えることが望ましい。この構成によれば、送受信された音声データを任意の時刻に再生することが可能となり、ユーザの利便性が向上する。
【００１２】
再生手段は、音声データに付与された、当該音声データが含まれる一連の発言を特定する識別子を参照して、格納手段に格納された複数の音声データを示す情報を一連の発言として出力することが望ましい。この構成によれば、一連の発言を容易に認識することができ、ユーザの利便性が更に向上する。
【発明の効果】
【００１３】
本発明によれば、音声データを送信するための予め設定された所定の操作が行われると音声データの入力及び録音と当該音声データを送信するための接続の確立とが行われるので、ユーザは当該操作を行った後すぐに、送信する音声を入力することができる。即ち、本発明によれば、敏速に音声の入力を行って通信相手にメッセージを伝えることができる。
【発明を実施するための最良の形態】
【００１４】
以下、図面と共に本発明に係る通信端末の好適な実施形態について詳細に説明する。なお、図面の説明においては同一要素には同一符号を付し、重複する説明を省略する。
【００１５】
図１に、本実施形態に係る通信端末１００の構成を示す。通信端末１００は、例えば、移動体通信網等の通信網に接続して、通信を行うことができる装置である。例えば、通信端末１００は、携帯電話機等の移動通信端末に相当する。通信端末１００は、後述するように録音した音声データを送信するという本発明に係る機能を有している。通信端末１００において録音した音声データを送信する本発明に係る機能を、本実施形態ではPush to Report（ＰｔＲ）と呼ぶ。また、通信端末１００は、当該機能に加えて、ＰＴＴを行う機能を有している。
【００１６】
図１に示すように、通信端末１００は、ボタン１０１と、マイク１０２と、ディスプレイ１０３と、スピーカー１０４と、ボタン判断部１０５と、電話帳データ格納部１０６と、発信部１０７と、発呼制御部１０８と、音声録音コントローラー１０９と、音声データ送信部１１０と、送信音声データ格納部１１１と、着呼制御部１１２と、着信部１１３と、音声再生コントローラー１１４と、音声データ受信部１１５と、受信音声データ格納部１１６と、ローカルデータ再生部１１７と、発信履歴着信履歴管理部１１８とを備えて構成されている。なお、図１において、破線で示される矢印の線は、通信端末１００の各構成要素間で入出力される音声データを示す。
【００１７】
ここで、通信端末１００の本実施形態に係る状態を以下のように定義する。「ＰｔＲ関連機能起動前状態」は、ＰｔＲに係る機能が起動されていない状態である。「ＰｔＲ送信機能起動状態」は、ＰｔＲにより音声データが送信される機能（ＰｔＲ送信機能）が起動された状態であり、音声の録音が開始される前の状態である。「ＰｔＲ録音中状態」は、ＰｔＲにより送信される音声データが録音されている状態である。「ＰｔＲ送信待機状態」は、ＰｔＲにより音声データの送信を実行するか、ユーザに確認している状態である。「ＰｔＲ着信機能起動状態」は、ＰｔＲにより音声データが着信される機能（ＰｔＲ受信機能）が起動された状態である。「ＰｔＲ音声受信中状態」は、ＰｔＲにより音声データが着信されている状態である。「ＰｔＲ発着信履歴表示機能起動状態」は、ＰｔＲによる発着信の履歴を表示する機能が起動された状態である。「ＰｔＲ音声再生機能起動状態」は、ＰｔＲにより送受信された音声データを再生する機能が起動された状態である。
【００１８】
ボタン１０１は、ユーザから押下されて通信端末１００に対する入力が行われる部分である。即ち、ボタン１０１は、ユーザからの操作のインターフェースとなる部分である。通信端末１００には、機能毎に複数のボタン１０１が設けられている。ボタン１０１に対する機能の割り当ては、ボタン１０１に対する単なる押下だけでなく、ボタン１０１を一定時間以上押下し続けるいわゆる長押し等の操作の仕方に応じても行われる。本実施形態では、複数のボタン１０１のうちの所定のボタン１０１（ＰＴＴボタン）の押下（短押し）が、ＰＴＴの機能を起動するための機能に割り当てられている。また、当該ボタン１０１の長押しが、ＰｔＲにおいて音声データを送信する機能であるＰｔＲ送信機能に予め割り当てられている。それ以外のボタン１０１操作に対する機能の割り当てについては後述する。ボタン１０１に対する操作内容は、ボタン１０１からボタン判断部１０５に通知される。
【００１９】
マイク１０２は、音声を入力して、音声データに変換して音声録音コントローラー１０９に入力する。ディスプレイ１０３は、入力された文字や画像を画面表示する部分である。スピーカー１０４は、入力された音声データを音声に変えて出力する部分である。
【００２０】
ボタン判断部１０５は、ボタン１０１に対する操作を判断する手段であり、より具体的には、ＰｔＲによって音声データを送信するための操作が自端末１００に対して行われたことを判断する送信機能起動手段である。上述したようにＰｔＲによって音声データを送信するための操作は、ＰＴＴの機能を起動するボタン１０１（ＰＴＴボタン）の長押しに設定されている。ボタン判断部１０５は、ボタン１０１から通知された操作内容に基づき上記の判断を行う。より具体的には、電話帳又はＰｔＲ発言履歴画面がディスプレイ１０３に表示されており、且つ、電話帳又は履歴エントリが選択されている時に、ＰｔＲ送信機能に割り振られたボタン操作がなされた時、その旨を発信部１０７に伝える。
【００２１】
ここで電話帳とは、ユーザのボタン１０１に対する操作によって表示される、電話帳データ格納部１０６に格納された電話番号及び当該電話番号に対応付けられた氏名等を表示する画面である。電話帳エントリとは、１つの電話番号に対応するデータであり、電話帳からユーザのボタン１０１に対する操作によって１以上のものが選択される。ＰｔＲ発言履歴画面とは、ユーザのボタン１０１に対する操作によって表示される、発信履歴着信履歴管理部１１８で管理される発信先又は着信先の端末の電話番号、及び音声データの発着信の時刻等を表示する画面である。履歴エントリは、後述するように発着信された１つの音声データに対応するデータであり、上記の電話番号及び発着信の時刻等が含まれており、ＰｔＲ発言履歴画面からユーザのボタン１０１に対する操作によって１以上のものが選択される。
【００２２】
ボタン判断部１０５は、この時の画面表示が電話帳及びＰｔＲ発言履歴画面のどちらであるかの旨も伝える。この処理により、ＰｔＲ送信機能が起動する。上記の各エントリが指定されていることを検出することは、音声データの送信先を示す情報を入力することに相当する。即ち、ボタン判断部１０５は、送信先指定手段である。なお、送信先の指定は、上記のように既に通信端末１００に格納されている送信先を示す情報を指定する以外の方法で行われてもよい。例えば、送信先の端末の電話番号を入力する方法でもよい。
【００２３】
ボタン判断部１０５は、ＰｔＲ送信機能が起動した状態で、ＰｔＲによって送信される音声データを録音するＰｔＲ録音機能に割り振られたボタン１０１に対する操作を検出した場合、発信部１０７にその旨を伝える。例えば、上述したように録音機能を実行させる操作は、ＰＴＴの機能を起動するボタン１０１の長押しをＰｔＲ送信機能の起動後も更に継続することに設定される。また、ＰｔＲ録音機能に割り振られたボタン１０１に対する操作は、別のボタン１０１に対する操作としてもよい。また、ボタン判断部１０５は、録音機能を実行させる操作が終了（解放）されたことを検出して、発信部１０７にその旨を伝える。
【００２４】
また、ボタン判断部１０５は、ＰｔＲ送信待機状態においてＰｔＲによる送信を決定する機能に割り振られたボタン１０１が押下されると、その旨を発信部１０７に伝える。
【００２５】
また、ボタン判断部１０５は、ＰｔＲによる発着信の履歴をディスプレイ１０３に表示する機能を起動するボタン１０１の押下を検出した場合、その旨をローカルデータ再生部１１７に伝える。また、ボタン判断部１０５は、ＰｔＲ発着信履歴画面が表示されている時に、ＰｔＲによる発言データを再生する機能に割り振られたボタン操作がされた場合、その旨をローカルデータ再生部１１７に伝える。ＰｔＲによる発言データを再生する機能は、例えば、ソフトメニューキー「再生」が割り当てられたボタン１０１が押下されることにより起動される。
【００２６】
電話帳データ格納部１０６は、音声データの送信先を特定する情報である電話番号の情報を格納する手段である。電話番号の情報は、例えば、送信先の端末のユーザの氏名等の名称と対応付けて格納されている。電話番号の情報は、必要に応じて電話帳データ格納部１０６から出力されてディスプレイ１０３に表示等されて、ＰｔＲによる音声データの送信先の特定に用いられる。
【００２７】
発信部１０７は、ＰｔＲによる音声データの送信処理を統括的に制御する手段である。即ち、発信部１０７は、後述する録音手段、接続確立手段及び送信手段の一機能を有している。発信部１０７は、ボタン判断部１０５より、ＰｔＲ送信機能に割り振られたボタン操作された旨の通知を受け、ＰｔＲ送信機能を立ち上げる。電話帳がディスプレイ１０３に表示されている場合、及びＰｔＲの音声データ以外（音声通話履歴、テレビ電話、メール等）の発着信履歴が表示されている場合は、新規呼発信として扱い、ユニークな呼の識別子（ＰｔＲ呼識別子）を作成する。ＰｔＲ呼識別子は、ＰｔＲの機能により送信される音声データに、当該音声データが含まれる一連の発言を特定する識別子である。また、その時選択されている電話帳エントリの電話番号を電話帳より入手して、発信先（送信先）相手とする。ＰｔＲによる発着信履歴エントリが選択されている場合は、履歴呼発信として扱い、発信履歴着信履歴管理部１１８によってその時選択されている履歴エントリに含まれる発信先相手の電話番号及びＰｔＲ呼識別子を入手する。
【００２８】
また、発信部１０７は、ＰｔＲ送信機能が立ち上がった状態で、ボタン判断部１０５からＰｔＲにより送信される音声データを録音する機能に割り振られたボタンが押下された旨の通知を受けると、発呼制御部１０８にパケットベアラ確立指示を行う。この時、発信部１０７は、発信先相手の電話番号とＰｔＲ呼識別子を発呼制御部１０８に通知する。また、発信部１０７は、音声録音コントローラー１０９に音声録音を開始する指示を行う。音声録音開始を契機にＰｔＲ録音中状態となる。この時も、発信部１０７は、上記のように作成あるいは取得したＰｔＲ呼識別子を音声録音コントローラー１０９に通知する。
【００２９】
また、発信部１０７は、ＰｔＲ録音中状態において、ボタン判断部１０５より、ＰｔＲ録音に割り振られたボタン操作が終了した（開放された）旨の通知を受けると、音声録音コントローラー１０９に録音停止の指示を行う。発信部１０７は、当該通知の前に音声録音コントローラー１０９より、録音時間タイマーがタイムアウトした旨の通知を受けた場合は、音声録音コントローラー１０９に録音停止の指示を行う必要は無い。その一方、発信部１０７は、ディスプレイ１０３への表示等により、通信端末１００のユーザに、録音された音声データを発信先相手に送信するか否かの確認を行う。ここで、通信端末１００は、ＰｔＲ送信待機状態となる。
【００３０】
また、発信部１０７は、ＰｔＲ送信待機状態において、ボタン判断部１０５から、ＰｔＲによる送信を決定する機能に割り振られたボタン１０１が押下された旨の通知を受け、発呼制御部１０８に通信網との間にパケットベアラが確立され、音声データが送信できる状態かの確認を行う。音声データが送信できる状態であった場合、発信部１０７は、音声録音コントローラー１０９に音声データの通信網への送信指示を行う。通信網を介したパケットベアラを通じた発信先端末との間の接続が確立されておらず、音声データが送信できる状態でない場合は、発信先の端末との間の接続が確立されるまで待ち、音声録音コントローラー１０９に音声データの通信網への送信指示を行う。発信部１０７は、発呼制御部１０８からパケットベアラの確立が失敗した旨、即ち通信網への接続が失敗した旨の返答を受けた場合、ディスプレイ１０３への表示等を行ってユーザにその旨を通知する。
【００３１】
発信部１０７は、送信指示を行った後、音声録音コントローラー１０９より、音声データの送信結果を受け取ると、ディスプレイ１０３への表示等を行ってその旨をユーザへ通知する。また、発信部１０７は、送信が成功した場合は、成功結果と一緒に受信した音声データの送信時刻を示す情報を、発信先相手の電話番号及び当該音声データに係るＰｔＲ呼識別子と一緒に発信履歴着信履歴管理部１１８へ通知する。また、発信部１０７は、発呼制御部１０８に、音声データの送信を終了する旨の通知を通信網に行うよう指示する。
【００３２】
発呼制御部１０８は、発信部１０７からのパケットベアラ確立指示を契機に、ＰｔＲによる音声データを送信するための、通信網との間にパケットベアラを確立して、パケットベアラを通じた発信先端末との接続を確立する手段である。即ち、発呼制御部１０８は、ボタン判断部１０５によって、ＰｔＲによって音声データを送信するための操作が自端末１００に対して行われたことが判断されると、通信網を介した送信先との間の接続を確立する接続確立手段である。パケットベアラ及び発信先端末との間の接続の確立は、例えば、通信網上のＳＩＰ（Sip Initiation Protocol）サーバに発ＩＮＶＩＴＥを送信して、ＳＩＰサーバによるＳＩＰに応じた機能が用いられて行われる。接続を確立するための発信である発ＩＮＶＩＴＥは、ＰｏＣにおけるＰｏＣ発信及びＰＴＴ呼発信に相当する。ここで、発ＩＮＶＩＴＥの中にＰｔＲ呼識別子を格納する。
【００３３】
発呼制御部１０８は、発信部１０７から、通信網とパケットベアラが確立したかの確認依頼を受けた時、既に発ＩＮＶＩＴＥを通信網に送信していれば、発信部１０７に確立成功の旨を返答する。まだ、発ＩＮＶＩＴＥ送信が出来ていなかった場合は、送信成功後に発信部１０７へその旨を送信する。
【００３４】
もし、通信網とのパケットベアラ確立や、発ＩＮＶＩＴＥ送信成功が時間内に出来なかった場合、発呼制御部１０８は、通信網との接続失敗の旨を発信部１０７に返答する。発呼制御部１０８は、発信部１０７から音声データの送信終了通知を通信網に送信する旨の指示を受けると、通信網に対して音声データ送信終了通知を行う。音声データ送信終了通知は、具体的には例えば、通信網に対してＢＹＥコマンドを送信することにより行われる。
【００３５】
音声録音コントローラー１０９は、発信部１０７からの音声録音の開始指示を受けると、マイク１０２から入力された音声の録音を開始する。即ち、音声録音コントローラー１０９は、ボタン判断部１０５によって、ＰｔＲによって音声データを送信するための操作が自端末１００に対して行われたことが判断されると、音声を入力して音声データとして録音する録音手段である。音声録音コントローラー１０９は、音声の録音を開始すると同時に録音時間タイマーを開始させる。音声録音コントローラー１０９は、録音した音声データを送信データバッファ１０９ａにためる。
【００３６】
また、音声録音コントローラー１０９は、ＰｔＲ録音中状態において、発信部１０７から録音停止指示を受けると録音を中止する。発信部１０７より録音停止指示を受ける前に、録音時間タイマーがタイムアウトした場合、録音を中止し、録音時間タイマーがタイムアウトした旨を発信部１０７へ通知する。即ち、音声録音コントローラー１０９は、ＰＴＴの機能を起動するボタン１０１が押下されている間、音声を入力して音声データとして録音する。
【００３７】
また、音声録音コントローラー１０９は、発信部１０７から録音した音声データの通信網への送信指示を受けると、音声データ送信部１１０に対して、音声データの通信網への送信指示を行い、発信部１０７から通知されたＰｔＲ呼識別子と送信データバッファ１０９ａに格納した音声データとを送る。
【００３８】
音声録音コントローラー１０９は、音声データの送信指示を行った後、音声データ送信部１１０より、音声データの送信及び格納の可否応答を得ると発信部１０７にその旨を通知する。音声データの送信及び格納が成功した場合は、一緒に通知される音声データ送信時刻を、発信部１０７へ送信する。
【００３９】
音声データ送信部１１０は、音声録音コントローラー１０９から音声データの通信網への送信指示と音声データとを受け取ると音声データを送信する。即ち、音声データ送信部１１０は、発呼制御部１０８によって確立された発信先端末との間の接続を通して、音声録音コントローラー１０９によって録音された音声データを送信する送信手段である。音声データ送信部１１０は、通信網に音声データの送信開始を通知し、当該通知に応じて通信網から音声データ受信準備が整った旨の連絡を受けると、音声データの送信を開始する。音声データ送信部１１０は、具体的には例えば、ＰｏＣの機能を利用する場合は、発言権の取得を行い、発言権取得後に音声データを送信する。
【００４０】
音声データ送信部１１０は、音声データの送信の際、送信する音声データに、音声録音コントローラー１０９から受け取ったＰｔＲ識別子を付与する。即ち、音声データ送信部１１０は、識別子付与手段でもある。音声データ送信部１１０は、通信網への音声データ送信と同時に、送信音声データ格納部１１１にＰｔＲ呼識別子と音声データとを対応付けて格納する。また、音声データ送信部１１０は、音声データの通信網への送信終了後、終了した旨の通知を通信網に行う。具体的には、通信網にフロア権解放通知を行うことにより、終了した旨の通知を行う。
【００４１】
音声データ送信部１１０は、音声データの通信網への送信と送信音声データ格納部１１１への格納が、無事完了した場合は、その旨を音声録音コントローラー１０９へ通知する。尚、音声データの送信や格納が不可であった場合もその旨を音声録音コントローラー１０９に通知する。尚、この時、音声データ送信時刻も音声録音コントローラー１０９に通知する。
【００４２】
送信音声データ格納部１１１は、音声データ送信部１１０から入力される、送信済みの音声データを格納する格納手段である。送信音声データ格納部１１１は、音声データに当該音声データに係るＰｔＲ呼識別子を対応付けて記憶する。
【００４３】
着呼制御部１１２は、通信網からのＰｔＲによって音声データを受信する際に着信契機となる信号を受信して、通信網との間にパケットベアラを確立し、ＰｔＲ受信機能を立ち上げる手段である。また、着呼制御部１１２は、通信網から、音声データの送信元の電話番号と当該音声データに係るＰｔＲ呼識別子との通知を受け、着信部１１３にＰｔＲによる着信を受けた旨と電話番号及びＰｔＲ呼識別子とを通知する。その後、着呼制御部１１２は、通信網にＰｔＲによる音声データ受信の準備中である旨を通知する。着呼制御部１１２は、具体的には、ＰｏＣにおけるＰｏＣ着信及びＰＴＴ呼着信時の動作により、上記処理を実行する。ただし、着呼制御部１１２は、着ＩＮＶＩＴＥ受信後、着ＩＮＶＩＴＥに対する１００  Ｔｒｙｉｎｇ応答を送信する。着ＩＮＶＩＴＥの中から、送信元の電話番号とＰｔＲ呼識別子を抽出が終わると、着信部１１３にＰｔＲによる着信を受けた旨と、音声データの送信元の端末の電話番号及び当該音声データに係るＰｔＲ呼識別子とを通知する。その後、着呼制御部１１２は、着ＩＮＶＩＴＥに対する１８０  Ｔｒｙｉｎｇ応答を送信する。
【００４４】
着呼制御部１１２は、着信部１１３から、音声データ受信準備完了の旨の通知をうけると、通信網に対して、音声データ受信準備が整った旨の通知を行う。具体的には、着呼制御部１１２は、着ＩＮＶＩＴＥに対する２０００Ｋ応答を送信する。通信網よりＢＹＥを受信した場合、着呼制御部１１２は、着信部１１３にその旨を通知する。
【００４５】
着信部１１３は、ＰｔＲによる音声データの受信処理を統括的に制御する手段である。即ち、着信部１１３は、後述する受信手段の一機能を有している。着呼制御部１１２から、ＰｔＲによる着信を受けた旨の通知を受け、音声再生コントローラー１１４に音声データの受信準備の指示を行う。この時、着呼制御部１１２から通知された、音声データの送信元の端末の電話番号を示す情報及び当該音声データに係るＰｔＲ呼識別子を音声再生コントローラー１１４に送信する。
【００４６】
着信部１１３は、音声データ受信準備完了の旨の通知を音声再生コントローラー１１４から受けたら、着呼制御部１１２にその旨を通知する。着信部１１３は、通信網よりＢＹＥを受信した旨が着呼制御部１１２から通知されると、ＰｔＲによる音声データ受信が終了したものとして扱い、ディスプレイ１０３にその旨の表示を行う等して、ユーザにＰｔＲによる音声データ着信を連絡する。着信部１１３は、音声再生コントローラー１１４によりＰｔＲによる音声データの着信時刻が受信された後、発信履歴着信履歴管理部１１８に音声データ着信時刻を示す情報と電話番号及びＰｔＲ呼識別子とを送信する。
【００４７】
音声再生コントローラー１１４は、着信部１１３からＰｔＲによる音声データの受信準備の指示と、音声データの送信元の端末の電話番号を示す情報及び当該音声データに係るＰｔＲ呼識別子とを受け、音声データ受信部１１５に当該電話番号を示す情報及びＰｔＲ呼識別子を送る。音声再生コントローラー１１４は、音声データ受信部１１５から準備が完了した旨の回答を得ると、着信部１１３へその旨を通知する。また、音声再生コントローラー１１４は、音声データ受信部１１５から音声データの受信開始時刻（着信時刻）を示す情報を受信後、その時刻を着信部１１３へ送信する。
【００４８】
音声再生コントローラー１１４は、ローカルデータ再生部１１７より、ＰｔＲによる音声データの再生指示を受信して、音声データを再生する。音声再生コントローラー１１４は、再生指示と同時に受信したＰｔＲ呼識別子、時刻及び電話番号を示す情報に基づいて、送信音声データ格納部１１１又は受信音声データ格納部１１６から音声データを探し出して取得し、スピーカー１０４に当該音声データを入力して再生する。即ち、音声再生コントローラー１１４は、送信音声データ格納部１１１及び受信音声データ格納部１１６に格納された音声データを再生する再生手段である。
【００４９】
音声データ受信部１１５は、自端末１００に対してＰｔＲにより送信された音声データを通信網から受信する受信手段である。具体的には、音声データ受信部１１５は、音声再生コントローラー１１４から、音声データの送信元の端末の電話番号を示す情報及び当該音声データに係るＰｔＲ呼識別子を受け取り、音声データ受信を待つ準備が出来たら、音声再生コントローラー１１４にその旨を通知する。音声データ受信部１１５は、通信網からの音声データ送信の合図を受けてから、音声データ受信タイマーを開始させる。タイマーがタイムアウトした場合、音声データ受信部１１５は、その時点で受信した以上の音声データを通信網から送信されていないものとし、音声データ受信を終了する。タイムアウト前に音声データ送信が終了した旨が通達された場合は、音声データ受信部１１５は、タイマーを終了させ音声データ受信を終了させる。なお、音声データ受信部１１５は、通信網からの音声データ送信の合図を受けなくても、音声データが送信されてきた場合は、当該音声データを有効なデータとして扱う。
【００５０】
上記のように音声データ受信部１１５に音声データ受信タイマーを設けるのは、音声データ受信を開始してから最後のデータまで受信する前に、通信網との接続状況が悪化した場合にデータ待ちの状態をいつまでも継続させないためである。データ待ちの状態を終了させるために、別の手段として（又は、音声データ受信タイマーと組合わすことも可として）、最後に受信した音声データから次の音声データを受信するまで一定時間以上（例えば、数秒から数十秒程度の時間）かかったら音声データ待ちの状態を終了させる、音声データ無通信監視タイマーを設けてもよい。
【００５１】
音声データ受信部１１５は、通信網からの音声データ受信開始時の時刻（着信時刻）を取得する。ＰｔＲによる音声データ受信完了後は、音声データ受信部１１５は、ＰｔＲによる音声データを、音声データ受信開始時刻（着信時刻）と音声データの送信元の端末の電話番号を示す情報及び当該音声データに係るＰｔＲ呼識別子とに対応付けて、受信音声データ格納部１１６に格納する。格納終了後、音声データ受信部１１５は、音声データ受信開始時刻を音声再生コントローラー１１４に送信する。
【００５２】
受信音声データ格納部１１６は、音声データ受信部１１５から入力される、受信済みの音声データを格納する格納手段である。受信音声データ格納部１１６は、音声データを、音声データ受信開始時刻（着信時刻）と音声データの送信元の端末の電話番号を示す情報及び当該音声データに係るＰｔＲ呼識別子とに対応付けて記憶する。
【００５３】
ローカルデータ再生部１１７は、ＰｔＲ発着信履歴画面を起動する機能に割り振られたボタン操作を検出した旨を、ボタン判断部１０５から受けた時、ＰｔＲ音声データ発着信履歴エントリのリストを送信するように、発信履歴着信履歴管理部１１８に対して指示する。ローカルデータ再生部１１７は、発信履歴着信履歴管理部１１８からＰｔＲ音声データ発着信履歴エントリのリストを受信すると、その内容をディスプレイ１０３に表示させる。ここで、ローカルデータ再生部１１７は、音声データに付与されたＰｔＲ識別子を参照して、同一のＰｔＲ識別子を有する複数の音声データに係る情報を送信時刻又は着信時刻順に並べて、当該複数の音声データを一連の発言としてディスプレイ１０３に表示させる。即ち、ローカルデータ再生部１１７は、音声データに付与されたＰｔＲ呼識別子を参照して、通信端末１００により送受信された複数の音声データを示す情報を一連の発言として出力するという再生手段の一機能を提供するものである。
【００５４】
ローカルデータ再生部１１７は、ＰｔＲによる発言データを再生する機能に割り振られたボタン操作がされた旨をボタン判断部１０５から受けた時、発信履歴着信履歴管理部１１８から、その時、ディスプレイ１０３上で選択されている履歴エントリに記録されているＰｔＲ呼識別子及び発着信した時刻と、発信履歴の場合は発信先相手の端末の電話番号、着信履歴の場合は発信者の端末の電話番号とを取得する。ローカルデータ再生部１１７は、音声再生コントローラー１１４にＰｔＲによる音声データの再生指示を通知する。この時、先に取得したＰｔＲ呼識別子及び発着信した時刻と、電話番号とを音声再生コントローラー１１４に通知する。
【００５５】
発信履歴着信履歴管理部１１８は、発信部１０７から、ＰｔＲによる音声データの送信時刻を示す情報と、発信先相手の電話番号及び当該音声データに係るＰｔＲ呼識別子とを受信したら、当該電話番号の端末を発信先としたＰｔＲ音声データ発信履歴エントリを一つ作成する。この履歴エントリには、送信時刻を示す情報と、電話番号と、ＰｔＲ呼識別子とが対応付けて含まれる。
【００５６】
発信履歴着信履歴管理部１１８は、着信部１１３から、ＰｔＲによる音声データの着信時刻を示す情報と、発信元相手の電話番号及び当該音声データに係るＰｔＲ呼識別子とを受信したら、当該電話番号の端末を発信元としたＰｔＲ音声データ着信履歴エントリを一つ作成する。この履歴エントリには、着信時刻を示す情報と、電話番号と、ＰｔＲ呼識別子とが対応付けて含まれる。
【００５７】
発信履歴着信履歴管理部１１８は、ローカルデータ再生部１１７から、ディスプレイ１０３に表示するＰｔＲ音声データ発着信履歴エントリのリストの送信依頼を受けると、ＰｔＲ音声データ発着信履歴エントリ（上述したＰｔＲ音声データ発信履歴エントリ及びＰｔＲ音声データ着信履歴エントリ）を、同じＰｔＲ呼識別子を持つＰｔＲ音声データ発信履歴エントリとＰｔＲ音声データ着信履歴を一つのグループとして、エントリに記録されている時刻を元に時系列にリストにまとめたものを、ローカルデータ再生部１１７へ送信する。以上が通信端末１００の各機能の説明である。
【００５８】
図２に通信端末１００のハードウェア構成を示す。図２に示すように、通信端末１００は、ＣＰＵ（Central Processing Unit）１００１、主記憶装置であるＲＡＭ（Random Access Memory）１００２及びＲＯＭ１００３(Read Only Memory)、上述したボタン１０１等を含んで構成される操作部１００４、無線通信部１００５、並びにアンテナ１００６等のハードウェアにより構成されている。また、通信端末１００は、上述した音声を入力するマイク１０２、画像を表示するディスプレイ１０３、及び音声を出力するスピーカー１０４も備えている。これらの構成要素が動作することにより、上述した通信端末１００の各機能が発揮される。
【００５９】
引き続いて、フローチャートを用いて、本実施形態に係る通信端末１００において実行される処理について説明する。まず、図３のフローチャートを用いて、ＰｔＲにより音声データを送信する処理について説明する。
【００６０】
まず、通信端末１００では、電話帳又はＰｔＲ発言履歴画面がディスプレイ１０３に表示されており、かつ電話帳エントリ又は履歴エントリがユーザのボタン１０１に対する操作により選択される（発信００１）。続いて、ボタン判断部１０５によって、ユーザによってＰＴＴボタンが押下されていることを検出して、当該ボタンの押下が長押しであるのか、あるいは短押しであるのかが判別される（発信００２）。短押しと判断された場合は、選択されていたエントリに登録されていた電話番号を発信先相手として、通常のＰｏＣ関連機能のＰＴＴ呼発信を実行する（発信００３）。
【００６１】
長押しと判別された場合は、ボタン判断部１０５によって、ＰｔＲ送信機能が起動される。続いて、ボタン判断部１０５によって、この時の画面表示が電話帳及びＰｔＲ発言履歴画面の何れであるかが判断されて、判断結果が発信部１０７に伝えられる。続いて、発信部１０７によって、ＰｔＲ送信機能が起動される（発信００４）。電話帳が表示されており、電話帳エントリが選択されていた場合、発信部１０７によって、ＰｔＲによる音声データの送信は新規呼として扱われ、ユニークな呼の識別子（ＰｔＲ呼識別子）が作成される。また、発信部１０７によって、その時選択されている電話帳エントリの電話番号が電話帳より取得されて、発信先相手の電話番号とされる（発信００５）。
【００６２】
ＰｔＲ発言履歴画面が表示されており、履歴エントリが選択されていた場合、発信部１０７によって、ＰｔＲによる音声データの送信は履歴呼として扱われ、発信履歴着信履歴管理部１１８からその時選択されている履歴エントリの通信相手の電話番号と、履歴エントリに記録されているＰｔＲ呼識別子とが取得される（発信００６）。
【００６３】
続いて、ボタン判断部１０５によって、ユーザによるＰｔＲ録音機能に割り振られたボタン押下を検出した場合、発信部１０７から指示された発呼制御部１０８によってパケットベアラの確立が行われ、この時、発信先相手との接続を確立するための、発信先相手の電話番号と呼識別子とを含んだ呼発信が行われる。この呼発信は、上述したようにＰｏＣにおけるＰｏＣ発信及びＰＴＴ呼発信に相当する（発信００７）。
【００６４】
続いて、発信部１０７から指示された音声録音コントローラー１０９によって、音声の録音が開始される（発信００８）。音声の録音が開始されると同時に、音声録音コントローラー１０９によって録音時間タイマーが開始される。（発信００９）。ユーザにより押下されていたＰｔＲ録音機能に割り振られたボタン１０１が開放されたことがボタン判断部１０５によって検出されて、それに応じて発信部１０７から音声録音コントローラー１０９に指示が行われると、音声録音コントローラー１０９による録音は停止される。当該指示の前に、音声録音コントローラー１０９の録音時間タイマーがタイムアウトした場合も、録音が停止される（発信０１０）。
【００６５】
続いて、発信部１０７によって、ＰｔＲによる音声データを発信先相手に送信するか否かの確認が、ユーザに対して行われる。確認は、具体的にはディスプレイ１０３に確認メッセージを表示させることにより行われる（発信０１１）。ここで、ユーザによって送信をキャンセルするボタンあるいはオンフックボタンが押下されると、その旨の通知が、それを検出したボタン判断部１０５から発信部１０７になされ、音声データが送信されずに、発信部１０７によって処理が終了される。
【００６６】
一方、ユーザによってＰｔＲによる送信を決定する機能に割り振られたボタン１０１が押下されると、その旨の通知がボタン判断部１０５から発信部１０７になされる。続いて、音声データが送信できる状態かの確認が、発信部１０７から発呼制御部１０８に対して行われる（発信０１２）。
【００６７】
音声データが送信できる状態で無かった場合、発呼制御部１０８によって通信網との接続が可能であるのかが判別される（発信０１３）。音声データが送信できる状態で無かった場合で通信網への接続が不可と判別された時は、ディスプレイ１０３での表示等によりユーザにその旨が通知され、音声データは送信されずに処理が終了する。音声データが送信できる状態で無かった場合で通信網への接続が可能であると判別された時は、音声データが送信できる状態になるまで待機状態がとられる（発信０１４）。
【００６８】
通信網を介した送信先との間の接続が確立されていた場合（送信０１４おける待機状態の後、確立された場合）、発信部１０７から音声録音コントローラー１０９にＰｔＲによる音声データの通信網への送信指示が行われる。録音した音声データの通信網への送信指示が発信部１０７から行われると、音声録音コントローラー１０９から音声データ送信部１１０に、送信される音声データと当該音声データに係るＰｔＲ呼識別子と音声データとが送信されて、音声データの通信網への送信指示が行われる。
【００６９】
続いて、音声データ送信部１１０によって、通信網に音声データの送信開始が通知されて、通信網から音声データ受信準備が整った旨の連絡を受けると、ＰｔＲによる音声データが通信網へ送信される（発信０１５）。続いて、音声データ送信部１１０によって、通信網への音声データ送信と同時に、送信音声データ格納部１１１に送信された音声データと当該音声データに係るＰｔＲ呼識別子とが対応付けられて格納される（発信０１６）。音声データの通信網への送信終了後、終了した旨の通知が音声データ送信部１１０から通信網に対して行われる。また、この際、発信部１０７によって音声データの送信時刻を示す情報が取得されて、発信部１０７から発信履歴着信履歴管理部１１８に当該情報が、発信先相手の電話番号及び当該音声データに係るＰｔＲ呼識別子と一緒に通知される。発信履歴着信履歴管理部１１８では、これらの情報に基づいてＰｔＲ音声データ発信履歴エントリが生成される。
【００７０】
音声データの送信と送信音声データ格納部１１１への格納とが、無事完了した場合は、その旨が送信音声データ格納部１１１から音声録音コントローラー１０９に通知される。また、音声データ送信部１１０から音声録音コントローラー１０９に音声データの送信及び格納の可否応答が行われ、音声録音コントローラー１０９から発信部１０７にその旨が通知される。続いて、発信部１０７から、ＰｔＲによる音声データの送信結果が、例えば、ディスプレイ１０３にその旨を表示することによってユーザへ通知される（発信０１７）。また、発信部１０７から発呼制御部１０８に、ＰｔＲによる音声データの送信を終了する旨の通知を通信網に行うよう指示がなされる。続いて、発信部１０７から指示を受けた発呼制御部１０８によって、通信網に対して、音声データ送信終了通知が行なわれる。以上がＰｔＲにより音声データを送信する処理である。
【００７１】
引き続いて、図４のフローチャートを用いて、ＰｔＲにより送信された音声データを受信する処理について説明する。まず、通信端末１００では、着呼制御部１１２によって、通信網からのＰｔＲの着信契機となる信号が受信される。続いて、当該信号を受信した着呼制御部１１２によって、通信網との間にパケットベアラが確立されて、ＰｔＲ受信機能が起動される。続いて、着呼制御部１１２から着信部１１３に、ＰｔＲによる着信を受けた旨と、通信網から通知された音声データを送信した端末の電話番号及び当該音声データに係るＰｔＲ呼識別子とが送信される。その後、着呼制御部１１２から通信網に、ＰｔＲによる音声データ受信の準備中である旨が通知される（着信００１）。
【００７２】
続いて、着呼制御部１１２からＰｔＲによる着信を受けた旨の通知を受け着信部１１３によって、音声再生コントローラー１１４に対して、ＰｔＲによる音声データ受信準備の指示を行う。この時併せて、着信部１１３から音声再生コントローラー１１４に、音声データの送信元の端末の電話番号及び当該音声データのＰｔＲ呼識別子が送信される。続いて、音声再生コントローラー１１４から音声データ受信部１１５に、上記の電話番号及びＰｔＲ呼識別子が送られる。電話番号及びＰｔＲ呼識別子を受信した音声データ受信部１１５によって、音声データ受信を待つ準備が行われる（着信００２）。準備（メモリー確保等）が出来たか否かは、音声データ受信部１１５において判断される（着信００３）。
【００７３】
何かしらの理由により音声データ受信が不可であった場合、準備することが可能なのかが、着信部１１３において判断される（着信００４）。当該判断により、準備に時間が掛かっていると判断された場合、準備完了まで待機される（着信００５）。一方で、準備することが不可能であると判断された場合、ディスプレイ１０３での表示等によりユーザにその旨が通知され、音声データは受信されずに処理が終了する。
【００７４】
音声データ受信を待つ準備が出来たと判断された場合、音声データ受信部１１５から音声再生コントローラー１１４にその旨が通知される。続いて、音声再生コントローラー１１４から着信部１１３に音声データ受信を待つ準備が出来た旨が通知される。更に、着信部１１３から着呼制御部１１２にその旨が通知される。
【００７５】
続いて、着呼制御部１１２から、ＰｔＲによる音声データ受信準備が整った旨の連絡が通信網に行われる。通信網からの音声データ送信の合図を受けてから、音声データ受信部１１５では、音声データ受信タイマーを開始させ、通信網から送信された音声データの受信が行われる。タイマーがタイムアウトした場合、その時点で受信した以上の音声データは、通信網から送信されてないものとし、音声データ受信の処理が終了される。タイムアウト前に、音声データ送信が終了した旨が通信網から通知された場合は、タイマーを終了させ、音声データ受信を終了させる。なお、通信網からの音声データ送信の合図を受けなくても、音声データが送信されてきた場合は、送信された音声データは有効なデータとして扱われる。この時も、音声データ受信部１１５では、音声データ受信タイマーを開始させる。受信タイマー開始時刻が、通信網からの音声データ受信開始時刻とされる（着信００６）。
【００７６】
音声データ受信部１１５による音声データの受信完了後、音声データ受信部１１５から、受信音声データ格納部１１６に、音声データ受信開始時刻と、音声データの送信元の端末の電話番号を示す情報及び当該音声データに係るＰｔＲ呼識別子とが対応付けて格納される。格納終了後、音声データ受信部１１５から音声再生コントローラー１１４に、音声データ受信開始時刻を示す情報が送信される（着信００７）。
【００７７】
続いて、音声再生コントローラー１１４から着信部１１３に、音声データ受信開始時刻、電話番号及びＰｔＲ呼識別子を示す情報が送信される。更に、着信部１１３から発信履歴着信履歴管理部１１８にそれらの情報が送信される。発信履歴着信履歴管理部１１８では、それらの情報からＰｔＲ音声データ着信履歴エントリが作成される。続いて、着呼制御部１１２によって、通信網からＢＹＥが受信されると、ＰｔＲによる音声データ受信が終了したものとして扱われ、ディスプレイ１０３への表示を行う等して、ユーザへＰｔＲによる音声データ着信があったことが通知される（着信００８）。以上がＰｔＲにより音声データを受信する処理である。
【００７８】
引き続いて、図５のフローチャートを用いて、ＰｔＲにより送受信された音声データを再生する処理について説明する。通信端末１００では、ＰｔＲによる発着信の履歴、即ちＰｔＲ発言履歴画面をディスプレイ１０３に表示する機能を起動するボタン１０１のユーザによる押下が、ボタン判断部１０５によって検出された場合、ボタン判断部１０５からその旨がローカルデータ再生部１１７に通知される。続いて、ローカルデータ再生部１１７によって、発信履歴着信履歴管理部１１８から、ＰｔＲ音声データ発着信履歴エントリが取得される（再生００１）。ＰｔＲ音声データ発着信履歴エントリの取得の際、各エントリは、同じＰｔＲ呼識別子を持つＰｔＲ音声データ発信履歴エントリとＰｔＲ音声データ着信履歴エントリとを一つのグループとして、エントリに記録されている時刻を元に時系列にリストにまとめたリストとして取得される。
【００７９】
続いて、ローカルデータ再生部１１７によって、取得されたＰｔＲ音声データ発信履歴エントリに基づいて、ＰｔＲによる音声データの発着信の履歴がディスプレイ１０３に表示される（再生００２）。表示は、図６に示すように、音声データに付与されたＰｔＲ識別子が参照されて、同一のＰｔＲ識別子を有する複数の音声データに係る情報を送信時刻又は着信時刻順に、当該複数の音声データを一連の発言として並べられて、行われる。また、表示される情報は、図６に示すように日付を含めた送受信の時刻、及び電話帳データ格納部１０６等に格納されている電話番号に対応付けられた氏名等の登録された名称である。また、一連の発言の最初の発言は、他の発言と区別できるように左に少しずらして表示するのが好ましい。
【００８０】
続いて、ディスプレイ１０３にＰｔＲ発言履歴画面が表示されている状態で、ボタン１０１に対するユーザの操作によって、当該表示において１つ以上の履歴エントリが選択される（再生００３）。ディスプレイ１０３にＰｔＲ発言履歴画面が表示され、何れかのエントリが選択されている際に、ＰｔＲ送信機能が起動されるボタン操作が行われたと、ボタン判断部１０５によって判断された場合（再生００４）は上述したように、音声データの送信の処理が行われる（発信０１８、図３における発信００６からの処理に対応する）。
【００８１】
一方で、ディスプレイ１０３にＰｔＲ発言履歴画面が表示され、何れかのエントリが選択されている際に、ＰｔＲによる発言データを再生する機能に割り振られたボタン操作が行われたと、ボタン判断部１０５によって判断された場合（再生００４）はその旨が、ボタン判断部１０５からローカルデータ再生部１１７に伝えられる。
【００８２】
続いて、ローカルデータ再生部１１７によって、その時、ディスプレイ１０３上で選択されている履歴エントリに記録されているＰｔＲ呼識別子及び発着信した時刻と、発信履歴の場合は発信先相手の端末の電話番号、着信履歴の場合は発信者の端末の電話番号とが発信履歴着信履歴管理部１１８から取得される（再生００５）。
【００８３】
続いて、ローカルデータ再生部１１７から音声再生コントローラー１１４に音声データの再生指示が行われる。この時、先に取得されたＰｔＲ呼識別子、発着信した時刻、及び電話番号が併せて通知される。続いて、再生指示が行われた音声再生コントローラー１１４によって、再生指示と同時に通知されたＰｔＲ呼識別子、時刻及び電話番号を示す情報に基づいて、送信音声データ格納部１１１又は受信音声データ格納部１１６から音声データが取得されて、スピーカー１０４に当該音声データが入力されて再生される（再生００６）。以上がＰｔＲにより送受信された音声データを再生する処理である。
【００８４】
上述したように本実施形態に係る通信端末１００では、音声データを送信するための予め設定された所定の操作が行われると、音声データの入力及び録音と当該音声データを送信するための接続の確立とが行われる。従って、通信端末１００のユーザは当該操作を行った後すぐに音声を入力することができ、敏速に音声の入力を行って通信相手にメッセージを伝えることができる。
【００８５】
また、本実施形態の通信端末１００のように、ＰＴＴの機能を起動するボタン１０１が押下されている間、音声を入力して送信する音声データとして録音することとすれば、ユーザに対して、ボタンを押下している間に音声を入力することをさせることができる。即ち、ユーザに本実施形態の通信端末１００の機能を利用させることで、ＰｏＣのようなボタンを押下しながら発言して、相手にメッセージを送るという動作にユーザをなれさせることができる。一方、既にボタンを押下しながら発言するという動作に慣れているユーザにとっては、容易に本実施形態の通信端末１００の機能を利用することができる。
【００８６】
また、本実施形態の通信端末１００のように、送信先を示す情報を入力することとすれば、任意の送信先に音声データを送信することができる。また、本実施形態のように、音声データにＰｔＲ呼識別子を付与することとすれば、より適切な音声データの処理が可能になる。また、本実施形態の通信端末１００のように音声データを送信する機能だけでなく、音声データを受信する機能を有していることが望ましい。また、本実施形態の通信端末１００のように送受信された音声データを格納して再生できる機能を備えていれば、送受信された音声データを任意の時刻に再生することが可能となり、ユーザの利便性が向上する。但し、必ずしも音声を再生する機能を備えている必要は無く、例えば、受信された音声データは受信時に再生されてもよい。
【００８７】
また、図６に示すようにＰｔＲ呼識別子に基づいて、一連の発言である音声データに係る情報をまとめて表示することとすれば、一連の発言を容易に認識することができ、ユーザの利便性が更に向上する。
【図面の簡単な説明】
【００８８】
【図１】本発明の実施形態に係る通信端末の機能構成を示す図である。
【図２】本発明の実施形態に係る通信端末のハードウェア構成を示す図である。
【図３】本発明の実施形態に係る通信端末において音声データの送信時に実行される処理を示すフローチャートである。
【図４】本発明の実施形態に係る通信端末において音声データの受信時に実行される処理を示すフローチャートである。
【図５】本発明の実施形態に係る通信端末において音声データの再生時に実行される処理を示すフローチャートである。
【図６】ディスプレイに表示される、送受信された音声データの履歴の画面を示す図である。
【符号の説明】
【００８９】
１００…通信端末、１０１…ボタン、１０２…マイク、１０３…ディスプレイ、１０４…スピーカー、１０５…ボタン判断部、１０６…電話帳データ格納部、１０７…発信部、１０８…発呼制御部、１０９…音声録音コントローラー、１０９ａ…送信データバッファ、１１０…音声データ送信部、１１１…送信音声データ格納部、１１２…着呼制御部、１１３…着信部、１１４…音声再生コントローラー、１１５…音声データ受信部、１１６…受信音声データ格納部、１１７…ローカルデータ再生部、１１８…発信履歴着信履歴管理部、１００１…ＣＰＵ、１００２…ＲＡＭ、１００３…ＲＯＭ、１００４…操作部、１００５…無線通信部、１００６…アンテナ。
【図１】
2008258844.tif 000003
【図２】
2008258844.tif 000004
【図３】
2008258844.tif 000005
【図４】
2008258844.tif 000006
【図５】
2008258844.tif 000007
【図６】
2008258844.tif 000008